(57)【要約】  【課題】夾雑物を適切に埋め込むことができる農作業機を提供する。  【解決手段】農作業機１は、所定方向へ回転しながら耕耘作業をする耕耘体５と、耕耘体５の後方で整地作業をする整地体８とを備える。農作業機１は、耕耘体５と整地体８との間に左右方向に互いに間隔をおいて位置し、弾性変形可能な非金属材料からなり、夾雑物を圃場表面下に埋め込む略棒状の複数本の埋め込み体21を備える。埋め込み体21の先端部断面形状が、埋め込み体21の基端部断面形状に比べて細くなっている。  【選択図】図１
2007028936.tif 000002
【特許請求の範囲】
【請求項１】
回転しながら耕耘作業をする耕耘体と、
この耕耘体の後方で整地作業をする整地体と、
前記耕耘体と前記整地体との間に左右方向に互いに間隔をおいて配設され、夾雑物を圃場表面下に埋め込む弾性変形可能な略棒状の複数本の埋め込み体とを備え、
前記埋め込み体の先端部断面形状が、前記埋め込み体の基端部断面形状に比べて細くなっている
ことを特徴とする農作業機。
【請求項２】
回転しながら耕耘作業をする耕耘体と、
この耕耘体の後方で整地作業をする整地体と、
前記耕耘体と前記整地体との間に左右方向に互いに間隔をおいて配設され、夾雑物を圃場表面下に埋め込む弾性変形可能な略棒状の複数本の埋め込み体とを備え、
前記埋め込み体の先端部断面形状が、前記埋め込み体の基端部断面形状に比べて太くなっている
ことを特徴とする農作業機。
【請求項３】
回転しながら耕耘作業をする耕耘体と、
この耕耘体の後方で整地作業をする整地体と、
前記耕耘体と前記整地体との間に左右方向に互いに間隔をおいて配設され、夾雑物を圃場表面下に埋め込む弾性変形可能な略棒状の複数本の埋め込み体とを備え、
前記埋め込み体の中間部断面形状が、前記埋め込み体の先端部断面形状および基端部断面形状に比べて太くなっている
ことを特徴とする農作業機。
【請求項４】
埋め込み体の内部にこの埋め込み体の長手方向に沿って補強芯材が配設されている
ことを特徴とする請求項１ないし３のいずれか一記載の農作業機。
【請求項５】
埋め込み体は、非金属材料にて成型された成型物である
ことを特徴とする請求項１ないし４のいずれか一記載の農作業機。
【発明の詳細な説明】
【技術分野】
【０００１】
本発明は、夾雑物が埋め込み体に引っ掛かる等の不具合を抑制でき、夾雑物を適切に埋め込むことができる農作業機に関するものである。
【背景技術】
【０００２】
従来、例えば回転しながら耕耘作業をする耕耘体と、耕耘体の後方で整地作業をする整地体と、耕耘体と整地体との間に左右方向に互いに間隔をおいて配設され夾雑物を圃場表面下に埋め込むバネ鋼からなる略棒状の複数本の埋め込み体（スプリングレーキ）とを備えた農作業機が知られている（例えば、特許文献１参照）。
【特許文献１】特開平６−１６５６０５号公報
【発明の開示】
【発明が解決しようとする課題】
【０００３】
しかしながら、上記従来の農作業機では、埋め込み体の断面形状がその埋め込み体の全長にわたって同じであるため、例えば圃場状態等によっては稲わら等の夾雑物が埋め込み体に引っ掛かる等の不具合が生じるおそれがある。
【０００４】
本発明は、このような点に鑑みなされたもので、夾雑物が埋め込み体に引っ掛かる等の不具合を抑制でき、夾雑物を適切に埋め込むことができる農作業機を提供することを目的とする。
【課題を解決するための手段】
【０００５】
請求項１記載の農作業機は、回転しながら耕耘作業をする耕耘体と、この耕耘体の後方で整地作業をする整地体と、前記耕耘体と前記整地体との間に左右方向に互いに間隔をおいて配設され、夾雑物を圃場表面下に埋め込む弾性変形可能な略棒状の複数本の埋め込み体とを備え、前記埋め込み体の先端部断面形状が、前記埋め込み体の基端部断面形状に比べて細くなっているものである。
【０００６】
請求項２記載の農作業機は、回転しながら耕耘作業をする耕耘体と、この耕耘体の後方で整地作業をする整地体と、前記耕耘体と前記整地体との間に左右方向に互いに間隔をおいて配設され、夾雑物を圃場表面下に埋め込む弾性変形可能な略棒状の複数本の埋め込み体とを備え、前記埋め込み体の先端部断面形状が、前記埋め込み体の基端部断面形状に比べて太くなっているものである。
【０００７】
請求項３記載の農作業機は、回転しながら耕耘作業をする耕耘体と、この耕耘体の後方で整地作業をする整地体と、前記耕耘体と前記整地体との間に左右方向に互いに間隔をおいて配設され、夾雑物を圃場表面下に埋め込む弾性変形可能な略棒状の複数本の埋め込み体とを備え、前記埋め込み体の中間部断面形状が、前記埋め込み体の先端部断面形状および基端部断面形状に比べて太くなっているものである。
【０００８】
請求項４記載の農作業機は、請求項１ないし３のいずれか一記載の農作業機において、埋め込み体の内部にこの埋め込み体の長手方向に沿って補強芯材が配設されているものである。
【０００９】
請求項５記載の農作業機は、請求項１ないし４のいずれか一記載の農作業機において、埋め込み体は、非金属材料にて成型された成型物であるものである。
【発明の効果】
【００１０】
請求項１に係る発明によれば、埋め込み体の先端部断面形状が埋め込み体の基端部断面形状に比べて細くなっているため、夾雑物が埋め込み体に引っ掛かる等の不具合を抑制でき、夾雑物を適切に埋め込むことができる。
【００１１】
請求項２に係る発明によれば、埋め込み体の先端部断面形状が埋め込み体の基端部断面形状に比べて太くなっているため、夾雑物が埋め込み体に引っ掛かる等の不具合を抑制でき、夾雑物を適切に埋め込むことができる。
【００１２】
請求項３に係る発明によれば、埋め込み体の中間部断面形状が埋め込み体の先端部断面形状および基端部断面形状に比べて太くなっているため、夾雑物が埋め込み体に引っ掛かる等の不具合を抑制でき、夾雑物を適切に埋め込むことができる。
【００１３】
請求項４に係る発明によれば、埋め込み体の内部にこの埋め込み体の長手方向に沿って補強芯材を配設することにより、埋め込み体の強度向上を図ることができる。
【００１４】
請求項５に係る発明によれば、埋め込み体が非金属材料にて成型された成型物であるから、埋め込み体を簡単に製造できる。
【発明を実施するための最良の形態】
【００１５】
本発明の農作業機の一実施の形態を図面を参照して説明する。
【００１６】
図１において、１は農作業機で、この農作業機１は、走行車であるトラクタ（図示せず）に連結して使用する牽引式の代掻き機である。そして、農作業機１は、トラクタの後部に連結された状態で、トラクタの走行により圃場を進行方向前方に移動しながら代掻作業および土引作業を選択的に行うものである。
【００１７】
農作業機１は、トラクタの後部の３点リンク部（作業機昇降装置）に連結される機体２を備えている。
【００１８】
機体２の左右のチェーンケース部３およびブラケット部（図示せず）間には、入力軸４に接続されたギア、シャフトおよびチェーン等からなる伝動手段からの動力に基づいて所定方向に回転しながら耕耘作業をするロータリ式の耕耘体５が回転可能に設けられている。耕耘体５は、左右方向に長手状の耕耘軸およびこの耕耘軸に放射状に設けられた耕耘爪を有している。
【００１９】
機体２の耕耘カバー部７の後端部には、耕耘体５の後方で整地作業をする整地体８が上下回動可能に設けられている。整地体８は、機体２の耕耘カバー部７の後端部にゴム板９を介して上下回動可能に設けられた左右方向長手状の第１整地板（均平板）11を有している。第１整地板11の下端部には、左右方向長手状の第２整地板（レーキ）12が左右方向の軸13を介して上下回動可能に設けられている。機体２と第１整地板11とが第１連結手段14にて連結され、機体２と第２整地板12とが第２連結手段15にて連結されている。
【００２０】
また、農作業機１は、耕耘体５と整地体８との間に左右方向に互いに間隔をおいて配設され弾性変形可能な非金属材料からなり稲わら等の夾雑物を圃場表面下に埋め込む略棒状で断面略円形の複数本の埋め込み体21を備えている。
【００２１】
ここで、図２および図３に示すように、各埋め込み体21は、その先端部断面形状がその基端部断面形状に比べて細くなっている。すなわち、埋め込み体21の下端側である先端側は、先端ほど細くなるように先細状に形成され、例えば断面略円形の先端部21aの直径が断面略円形の基端部21bの直径の略半分になっている。
【００２２】
また、埋め込み体21の下端側である先端側は、進行方向後方に向って湾曲している。さらに、埋め込み体21の上端である基端には下方に向って開口した略Ｕ字状の取付部22が一体に設けられ、この取付部22が左右方向に延びる丸パイプからなる支軸部23にボルト24、ナット25および板状のカラー26を用いて固着されている。支軸部23の軸方向両端部は左右の支持板部27に固着され、両支持板部27が整地体８の第１整地板11の両側面部に固着されている。
【００２３】
なお、埋め込み体21は、樹脂或いはゴム等の弾性変形可能な非金属材料にて一体に略棒状に成型された成型物としての大型のスプリングレーキであり、例えば埋め込み体21の長さ寸法が第１整地板11の幅寸法と略等しくなっている。
【００２４】
次に、上記農作業機１の作用等を説明する。
【００２５】
農作業機１をトラクタの後部に連結し、農作業機１をトラクタの走行により圃場上を移動させると、耕耘体５の耕耘爪にて耕耘作業が行われ、整地体８の第１整地板11および第２整地板12にて耕耘作業が行われる。
【００２６】
この際、耕土中の稲わら等の夾雑物は、圃場表面に追従するように第１整地板11と一体となって上下回動する複数本の埋め込み体21によって圃場表面下に埋め込まれる。
【００２７】
そして、この農作業機１によれば、埋め込み体21の先端部断面形状が埋め込み体21の基端部断面形状に比べて細くなっているため、夾雑物が埋め込み体に引っ掛かる等の不具合を抑制でき、夾雑物を適切に埋め込むことができる。特に、埋め込み体21の先端側が先細状に形成されているため、埋め込み体21の先端側が弾性変形しやすく、埋め込み体21の先端側に夾雑物が引っ掛かるようなことがない。また、埋め込み体21の形状に対応した型を使用して埋め込み体21を樹脂或いはゴム等の非金属材料を使用して製造することにより、埋め込み体21を安価に製造できる。
【００２８】
上記実施の形態では、ボルト24、ナット25およびカラー26を用いて、埋め込み体21を略Ｕ字状の取付部22を介して丸パイプからなる支軸部23に取り付けた構成について説明したが、例えば図４および図５に示すように、隣合う埋め込み体21間の間隙を調節できるように、脱着可能なカラー31を用いて、埋め込み体21を環状の取付部32を介して角パイプからなる支軸部33に取り付ける構成としてもよい。
【００２９】
また、上記実施の形態では、埋め込み体21の先端部断面形状を埋め込み体21の基端部断面形状に比べて細くした構成について説明したが、例えば図６に示すように、埋め込み体21の先端部断面形状を埋め込み体21の基端部断面形状に比べて太くした構成でもよい。この図６に示す埋め込み体21の先端側は、先端ほど太くなるように先太状に形成され、例えば断面略円形の先端部21aの直径が断面略円形の基端部21bの直径の略２倍になっている。
【００３０】
さらに、例えば図７に示すように、埋め込み体21の中間部断面形状を埋め込み体21の先端部断面形状および基端部断面形状に比べて太くした構成でもよい。この図７に示す埋め込み体21は、中間部に側面視縦長楕円状の拡大部である径大部21cを有し、この径大部21cのうち最も太い部分の直径がそれぞれ断面略円形の先端部21aの直径や基端部21bの直径の略２倍になっている。
【００３１】
また、埋め込み体21の強度向上のために、例えば図８に示すように、埋め込み体21の内部にこの埋め込み体21の長手方向に沿ってこの埋め込み体21の略全長にわたって補強芯材40を配設するようにしてもよい。補強芯材40は、例えば鉄等の金属材料からなる線状部材にて構成されている。
【００３２】
さらに、埋め込み体21は断面略円形のものには限定されず、三角、四角、六角等の断面角形のものでもよい。
【図面の簡単な説明】
【００３３】
【図１】本発明の農作業機の一実施の形態の側面図である。
【図２】同上農作業機の埋め込み体の後面図である。
【図３】同上埋め込み体の側面図である。
【図４】本発明の他の実施の形態に係る埋め込み体の後面図である。
【図５】同上埋め込み体の側面図である。
【図６】本発明のさらに他の実施の形態に係る埋め込み体の側面図である。
【図７】本発明のさらに他の実施の形態に係る埋め込み体の側面図である。
【図８】本発明のさらに他の実施の形態に係る埋め込み体の側面図である。
【符号の説明】
【００３４】
１    農作業機
５    耕耘体
８    整地体
21    埋め込み体
40    補強芯材
【図１】
2007028936.tif 000003
【図２】
2007028936.tif 000004
【図３】
2007028936.tif 000005
【図４】
2007028936.tif 000006
【図５】
2007028936.tif 000007
【図６】
2007028936.tif 000008
【図７】
2007028936.tif 000009
【図８】
2007028936.tif 000010